(57)【特許請求の範囲】
【請求項１】
光源からの光を複数の色光に分解して複数の光変調素子に導き、該複数の光変調素子により変調された前記複数の色光を合成して投射光学系に導く色分解合成光学系と、
前記複数の光変調素子および前記色分解合成光学系を収容する光学ボックスと、
該光学ボックスのダクト接続口に接続され、前記光変調素子および前記色分解合成光学系に冷却用の空気を導くダクトと、
前記光学ボックスおよび前記ダクトを収容する筐体とを有し、
前記色分解合成光学系は、第１の光学素子を含み、
前記筐体の内部において、前記光学ボックスと前記ダクトが、前記筐体の上面に沿う第１の方向に開口した前記ダクト接続口を挟んで互いに隣接して配置され、
該筐体の上面は、前記光学ボックスの上面を覆うカバー部と、前記筐体の内部に配置された前記ダクトを取り外し可能に保持するダクト保持部と、前記第１の方向とは異なる第２の方向に開口し、前記ダクト保持部から取り外された前記ダクトの前記筐体の内部からの取り出しを可能とする上面開口とを有しており、
前記ダクトが前記筐体の内部から取り出された状態において、前記第１の光学素子が、前記ダクト接続口および前記上面開口を通して、前記光学ボックスの内部の前記色分解合成光学系に対して着脱されることを特徴とする画像投射装置。
【請求項２】
前記光学ボックスの内部に、前記光源からの光を前記色分解合成光学系に導く照明光学系が収容され、
該照明光学系は、第２の光学素子を含み、
前記ダクトが前記筐体の内部から取り出された状態において、前記第２の光学素子が、前記上面開口を通して、前記照明光学系に対して着脱されることを特徴とする請求項１に記載の画像投射装置。
【請求項３】
前記ダクトは、前記筐体の内部に配置された状態において、前記第２の光学素子を前記光学ボックスに対して押さえる押さえ部を有することを特徴とする請求項２に記載の画像投射装置。
【請求項４】
前記筐体の内部のうち、前記上面開口と前記ダクトとの間以外のスペースに、該画像投射装置を動作させるための電気回路が搭載された電気回路基板が配置されていることを特徴とする請求項１から３のいずれか一項に記載の画像投射装置。
【発明の詳細な説明】
【技術分野】
【０００１】
本発明は、液晶プロジェクタ等の画像投射装置に関し、特に画像投射装置のメンテナンスを行うための構造に関する。
【背景技術】
【０００２】
画像投射装置には、例えば、有機材料により形成された膜を用いた光学素子のように、光源ランプからの強い光を受けることで特性が変化（劣化）する光学素子がいくつか用いられている。このような光学素子は、その特性が変化した場合には、交換が必要である。このため、画像投射装置の構成を、できるだけ簡単に光学素子の交換を行えるようにすることが求められる。
【０００３】
また、画像投射装置において、液晶パネル等の光変調素子やその近傍の光学素子は、光源ランプからの光がそこに集光されるため、特に高温になり易い。このため、画像投射装置には、光変調素子やその近傍の光学素子にファンからの空気を導いてこれらを冷却するダクトが設けられる。光変調素子の近傍の光学素子とは、光源ランプからの光を複数の色光に分解して複数の光変調素子に導き、該複数の光変調素子により変調された複数の色光を合成する色分解合成光学系に含まれる光学素子である。
【０００４】
ダクトは画像投射装置の筐体の内部で比較的大きな体積を占めるため、光学素子の交換を行う際には、ダクトを取り外す必要がある場合が多い。
【０００５】
特許文献１には、筐体内において光変調素子およびその近傍の光学素子の下側（底面側）に配置されたダクトを、筐体の底面側の開口から外部に取り外すと、光変調素子およびその近傍の光学素子が該開口に面して露出する画像投射装置が開示されている。この画像投射装置では、露出した光変調素子およびその近傍の光学素子に対するアクセスが容易であり、これらに付着した塵埃の除去（清掃）を容易に行える。また、露出した光学素子の交換も容易に行えると考えられる。
【先行技術文献】
【特許文献】
【０００６】
【特許文献１】特開２００８−１４９６２号公報
【発明の概要】
【発明が解決しようとする課題】
【０００７】
しかしながら、特許文献１にて開示された画像投射装置では、装置の底面側からのみダクト、光変調素子およびその近傍の光学素子にアクセス可能であるため、清掃や交換の作業を行う前に装置の上下を反転させなければならず、煩わしいという問題がある。また、装置の上下を反転させて底面側の開口が上方に向かって開いた状態でダクトが取り外されると、該開口に面して光変調素子やその近傍の光学素子が露出する。このため、それらの清掃や交換の後に、該開口を通じて筐体の外部から内部に侵入した塵埃が光変調素子や光学素子に付着してしまう。
【０００８】
さらに、特許文献１は、光変調素子および色分解合成光学系に含まれる光学素子に対するアクセス方法を開示しているが、光源ランプからの光を色分解合成光学系に導く照明光学系を構成する光学素子に対するアクセス方法については何ら開示していない。しかし、照明光学系を構成する光学素子に対しても容易にアクセスできることが望ましい。
【０００９】
本発明は、交換が必要な光学素子に対するアクセスを容易としつつも、外部から侵入した塵埃が光学素子に付着し難い構成を有する画像投射装置を提供する。
【課題を解決するための手段】
【００１０】
本発明の一側面としての画像投射装置は、光源からの光を複数の色光に分解して複数の光変調素子に導き、該複数の光変調素子により変調された複数の色光を合成して投射光学系に導く色分解合成光学系と、複数の光変調素子および色分解合成光学系を収容する光学ボックスと、該光学ボックスのダクト接続口に接続され、光変調素子および色分解合成光学系に冷却用の空気を導くダクトと、光学ボックスおよびダクトを収容する筐体とを有する。色分解合成光学系は、第１の光学素子を含んでいる。筐体の内部において、光学ボックスとダクトが、筐体の上面に沿う第１の方向に開口したダクト接続口を挟んで互いに隣接して配置されている。該筐体の上面は、少なくとも光学ボックスの上面を覆うカバー部と、筐体の内部に配置されたダクトを取り外し可能に保持するダクト保持部と、第１の方向とは異なる第２の方向に開口し、該ダクト保持部から取り外されたダクトの筐体の内部からの取り出しを可能とする上面開口とを有する。そして、ダクトが筐体の内部から取り出された状態において、第１の光学素子が、ダクト接続口および上面開口を通して、光学ボックスの内部の色分解合成光学系に対して着脱されることを特徴とする。
【発明の効果】
【００１１】
本発明によれば、筐体の上面に設けられたダクト保持部から取り外したダクトを、上面開口を通して筐体の内部から取り出すと、上面開口と該上面開口に直接面していないダクト接続口とを通じて第１の光学素子に対するアクセスが可能となる。しかも、上面開口は、ダクトの取り出し（および挿入）を可能とするために必要な大きさしか有しておらず、少なくとも光学ボックスの上面は覆っている。このため、第１の光学素子の着脱（交換）が容易であるとともに、上面開口を通じて筐体の外部から侵入した塵埃が光学ボックスの内部にまで入り込み、光学ボックス内の光変調素子や光学素子に付着し難い構成を実現することができる。
【図面の簡単な説明】
【００１２】
【図１】本発明の実施例であるプロジェクタの上面図。
【図２】実施例のプロジェクタの光学構成を示す図。
【図３】実施例のプロジェクタの冷却構成を示す上面図。
【図４】実施例のプロジェクタにおける波長選択性位相板の周辺の構成を示す断面図（図１中のＡ−Ａ線での断面図）。
【図５】図４に示した構成においてダクトが取り外された状態を示す図。
【図６】実施例のプロジェクタにおける偏光変換素子の周辺の構成を示す断面図（図１中のＢ−Ｂ線での断面図）。
【図７】図６に示した構成においてダクトが取り外された状態を示す図。
【図８】実施例のプロジェクタの外観を示す斜視図。
【図９】図８に示すプロジェクタから保護カバーを取り外した状態を示す斜視図。
【発明を実施するための形態】
【００１３】
以下、本発明の実施例について図面を参照しながら説明する。
【００１４】
図１には、本発明の実施例１である液晶プロジェクタ（画像投射装置）の全体的な構成を示している。１は光源ランプ（以下、単にランプという）であり、本実施例では、高圧水銀放電ランプが用いられている。ただし、光源ランプ１として、高圧水銀放電ランプ以外の放電型ランプを用いてもよい。
【００１５】
２はランプ１を保持するランプホルダであり、３は防爆凸レンズである。４はランプ１、ランプホルダ２および防爆凸レンズ３によって構成されるランプユニットである。
【００１６】
αはランプ１からの光束を均一な明るさ分布を有する平行光束に変換する照明光学系である。βは照明光学系αからの光（ランプ１からの光）を複数の色光であるＲ（赤）光、Ｇ（緑）光およびＢ（青）光に分解して後述する３つの液晶パネルに導き、さらに該３つの液晶パネルにより変調されたＲ光、Ｇ光およびＢ光を合成する色分解合成光学系である。
【００１７】
５は色分解合成光学系βからの合成光（画像）を図示しないスクリーン（被投射面）に投射する投射レンズ（投射光学系）を収容した投射レンズ鏡筒である。
【００１８】
６はランプ１、照明光学系αおよび色分解合成光学系βを収納するとともに、投射レンズ鏡筒５が固定される光学ボックスである。光学ボックス６の上面の開口は、該光学ボックス６内に照明光学系αおよび色分解合成光学系βが収納された状態で、図４等に示す光学ボックス蓋７によって覆われる。以下の説明において、光学ボックス蓋７により上面の開口が閉じられた光学ボックス６を、光学ボックス６という。
【００１９】
８は電源ユニットであり、不図示のＡＣインレットを有する。９は電源ユニット８から供給された電力を用いてランプ１を点灯させるランプ電源を生成するバラストである。
【００２０】
１０，１１は第１光学系冷却ファンおよび第２光学系冷却ファンであり、外装キャビネット１８に設けられた吸気口１８ａから吸入した外気（空気）によって、色分解合成光学系β内の光学素子と後述する液晶パネルを冷却するために設けられている。
【００２１】
１２は第１および第２光学系冷却ファン１０，１１を保持し、吸気口１８ａから第１および第２光学系冷却ファン１０，１１に外気を導く光学系吸気ダクトである。
【００２２】
１３は図９に示すキャビネット蓋１９によって保持され、第１および第２光学系冷却ファン１０，１１から吐出された冷却用の空気を、光学ボックス６の内部の色分解合成光学系βに導く光学系冷却ダクトである。光学系冷却ダクト１３は、光学ボックス６に形成されたダクト接続口６ａに接続されている。すなわち、光学ボックス６と光学系冷却ダクト１３は、ダクト接続口６ａを挟んで筐体の上面を構成するキャビネット蓋１９に沿った水平方向（第１の方向）に互いに隣接して配置されている。
【００２３】
１４は排気ファンである。該排気ファン１４から吐出された空気は、電源ユニット８およびバラスト９を冷却した後、ランプ１を冷却して、外装キャビネット１８に設けられた排気口１８ｂから外部に排気される。
【００２４】
１５は排気ファン１４を保持する排気ファンホルダである。１６はランプ冷却ファンである。該ランプ冷却ファン１６により吸い込まれる空気の流れによって後述する駆動・制御基板ユニット２１を冷却し、ランプ冷却ファン１６から吐出される空気によって、照明光学系α内の偏光変換素子４５とランプ１を冷却する。
【００２５】
１７はランプ冷却ファン１６から吐出された冷却用の空気を照明光学系αに含まれる偏光変換素子４５とランプ１に導くランプ冷却ダクトである。
【００２６】
外装キャビネット（下部筐体）１８は、前述した吸気口１８ａと排気口１８ｂを有し、前述したキャビネット蓋（上部筐体）１９とともに本実施例のプロジェクタの筐体を構成する。上述したように筐体の上面を構成するキャビネット蓋１９の一部である光学系冷却ダクト１３の上面に対応する領域には、該光学系冷却キャビネット１３の上面の形状に合った開口（以下、上面開口という）が形成されている。
【００２７】
なお、本実施例にいう上面とは、プロジェクタを机や台の上に設置した状態での上側の面（不図示の脚部が設けられたプロジェクタの底面とは反対側の面）を意味する。プロジェクタが天井が吊り下げられて使用される場合、本実施例にいう上面は、実際には下面となる。
【００２８】
２０は吸気口１８ａを覆い、該吸気口１８ａから吸い込まれる空気から塵埃を除去する塵埃フィルタである。
【００２９】
駆動・制御基板ユニット２１は、プロジェクタを動作させるための電気回路を搭載した電気回路基板である。駆動・制御基板ユニット２１は、画像信号や制御信号等の信号を取り込むインターフェースと、電源ユニット８からの電力を用いた液晶パネルの駆動、ランプ１の点灯およびファン１０，１１，１４，１６の駆動と、上記信号に応じたこれらの制御を行う。駆動・制御基板ユニット２１は、筐体の内部のうち、キャビネット蓋１９と光学系冷却ダクト１３との間以外のスペース（本実施例では、水平方向における投射レンズ鏡筒５に対して光学系冷却ダクト１３とは反対側のスペース）に配置されている。そして、不図示のホルダを介して外装キャビネット１８に固定されている。
【００３０】
次に、図２を用いて、本実施例のプロジェクタの光学構成について説明する。図２において、左側には水平断面を、右側には垂直断面をそれぞれ示す。なお、図１に示した構成要素と同じ構成要素には、図１と同符号を付している。
【００３１】
同図において、１は前述したランプであり、放電発光管４１からの光（白色光）をリフレクタ４２によって所定の方向に集光して射出する。３は前述した防爆凸レンズである。
【００３２】
４３は第１フライアイレンズであり、４４は第２フライアイレンズである。これら第１および第２フライアイレンズ４３，４４により、光源ランプ１からの光を複数の光束に分割する。
【００３３】
４５はランプ１からの無偏光光を、所定の偏光方向を有する直線偏光光に変換する偏光変換素子（第２の光学素子）である。４６はランプ１からの光軸を折り曲げるための反射ミラーである。
【００３４】
４７ａは第１コンデンサーレンズであり、４７ｂは第２コンデンサーレンズである。これら第１および第２コンデンサーレンズ４７ａ，４７ｂは、第１および第２フライアイレンズ４３，４４により形成された複数の光束を、後述する液晶パネル上にて重ね合わせる集光機能を有する。
【００３５】
第１フライアイレンズ４３、第２フライアイレンズ４４、偏光変換素子４５、反射ミラー４６、第１コンデンサーレンズ４７ａおよび第２コンデンサーレンズ４７ｂにより照明光学系αが構成される。
【００３６】
４８はＢ光とＲ光を反射し、Ｇ光を透過するダイクロイックミラーである。４９はＲ光の色純度を高めるためにオレンジ光をランプ１に戻すトリミングフィルタである。
【００３７】
５０はＰ偏光のみを透過する反射型の偏光選択素子である。５１はＲ光の偏光方向を９０度変換し、Ｂ光の偏光方向は変換しない色選択性位相差板（第１の光学素子）である。
【００３８】
５２，５３はそれぞれ、多層膜により構成された偏光分離面においてＰ偏光を透過し、Ｓ偏光を反射する第１偏光ビームスプリッタおよび第２偏光ビームスプリッタである。
【００３９】
５７Ｒ，５７Ｇ，５７Ｂはそれぞれ、Ｒ用１／４波長板、Ｇ用１／４波長板およびＢ用１／４波長板である。
【００４０】
５８Ｒ，５８Ｇ，５８Ｂはそれぞれ、入射した光を反射するとともに画像変調する光変調素子としての赤用反射型液晶パネル、緑用反射型液晶パネルおよび青用反射型液晶パネルである。５５はＢ用の偏光板、５６はＧ用の偏光板である。
【００４１】
５４はＲ光およびＢ光を透過し、Ｇ光を反射するダイクロイックプリズムである。
【００４２】
以上のダイクロイックミラー４８〜ダイクロイックプリズム５４により、色分解合成光学系βが構成される。
【００４３】
次に、本実施例のプロジェクタにおける冷却構造について、図３を用いて説明する。本実施例のプロジェクタは、前述したように、４つのファン１０，１１，１４，１６を備えており、これら４つのファン１０，１１，１４，１６を用いて２つの冷却風路（第１および第２冷却風路）を形成する。
【００４４】
まず、図３に実線矢印で示す第１冷却風路について説明する。第１および第２光学系冷却ファン１０，１１とランプ冷却ファン１６の回転により、装置（筐体）の外部の空気が吸気口１８ａから塵埃フィルタ２０を通って筐体の内部に流入する。
【００４５】
塵埃フィルタ２０を通って筐体の内部に流入した空気は、光学系吸気ダクト１２を通って第１および第２光学系冷却ファン１０，Ｂ１１により吸い込まれる。第１および第２光学系冷却ファン１０，１１のそれぞれから吐出された空気は、光学系冷却ダクト１３内で合流し、光学ボックス６に形成されたダクト接続口６ａを通って光学ボックス６内に流入する。そして、色分解合成光学系βに含まれる光学素子や反射型液晶パネル５８Ｒ，５８Ｇ，５８Ｂを冷却する。色分解合成光学系βの光学素子および反射型液晶パネル５８Ｒ，５８Ｇ，５８Ｂを冷却した空気は、駆動・制御基板ユニット２１へと流れる。
【００４６】
ランプ冷却ファン１６は、第１および第２光学系冷却ファン１０，１１から吐出されて駆動・制御基板ユニット２１に流れた空気を吸い込む。ランプ冷却ファン１６の吸気により発生した空気の対流が、駆動・制御基板ユニット２１を冷却する。ランプ冷却ファン１６から吐出された空気は、ランプ冷却ダクト１７を通って照明光学系αに含まれる偏光変換素子４５およびランプ１に向かって流れる。
【００４７】
偏光変換素子４５に向かって流れた空気は、該偏光変換素子４５を冷却した後、光学系冷却ダクト１３に設けられたエアガイド部を通ってランプ１の周辺および排気ファン１４により形成される第２冷却風路に流れ込む。
【００４８】
また、ランプ１に向かって流れた空気は、ランプホルダ２に設けられた不図示の開口を通ってランプ１、ランプホルダ２および防爆凸レンズ３により囲まれた空間に流入し、放電発光管４１を冷却する。放電発光管４１を冷却した空気は、ランプホルダ２に設けられた不図示の開口を通ってランプユニット４から流出する。ランプユニット４から流出した空気は、第２冷却風路に流れ込む。
【００４９】
次に、図３中に点線矢印で示した第２冷却風路について説明する。排気ファン１４の回転によって筐体の外部の空気が吸気口１８ａから塵埃フィルタ２０を通って筐体の内部に流入する。塵埃フィルタ２０を通って筐体の内部に流入した空気は、電源ユニット８およびバラスト９を冷却した後、排気ファン１４に吸い込まれる。排気ファン１４から吐出された空気は、ランプユニット４の全体を冷却し、ランプ１および偏光変換素子４５を冷却して第１冷却風路から流れ込んだ空気と共に排気口１８ｂから筐体の外部に排出される。
【００５０】
以上のように構成された本実施例のプロジェクタにおける波長選択性位相板５１の交換手順について、図４および図５を用いて説明する。図４には、波長選択性位相板５１の交換前の該波長選択性位相板５１の周辺部分の断面（図１中のＡ−Ａ線で切断したときの断面）を示しており、図５には、波長選択性位相板５１の交換時の同断面を示している。
【００５１】
図４において、光学系冷却ダクト１３は、キャビネット蓋１９に設けられたダクト保持部１９ａにて保持（固定）されている。また、波長選択性位相板５１は、トリミングフィルタ４９および偏光選択素子５０と共に光学素子ホルダ２２によって保持されている。光学素子ホルダ２２には、光学素子保持板２３が設けられており、トリミングフィルタ４９、偏光選択素子５０および波長選択性位相板５１はこの光学素子保持板２３によってそれぞれの位置が決められている。
【００５２】
また、光学素子ホルダ２２には、握り部２２ａが設けられている。光学素子ホルダ２２は、光学ボックス６に設けられた不図示の引掛け爪が係合することで、光学ボックス６内での所定位置（色分解合成光学系βに含まれる位置）に保持される。
【００５３】
波長選択性位相板５１の交換時には、図５に示すように、キャビネット蓋１９のダクト保持部１９ａにて保持された光学系冷却ダクト１３を、キャビネット蓋１９に上下方向（第２の方向）に開口するように形成された開口１９ｂを通して実線矢印の方向（上方向）に取り外す。以下、開口１９ｂを上面開口１９ｂという。光学系冷却ダクト１３が取り外されることで、筐体の内部における光学系冷却ダクト１３が配置されていた場所に空間Ｓができるとともに、光学系冷却ダクト１３が接続されていた光学ボックス６のダクト接続口６ａが該空間Ｓにつながる。
【００５４】
次に、ダクト接続口６ａを通して空間Ｓに向かって光学素子ホルダ２２を点線矢印の方向（第１の方向）にスライド（移動）させ、色分解合成光学系βから取り外すとともに、光学ボックス６内から取り出す。このとき、作業者は、光学素子ホルダ２２の握り部２２ａを掴むことで光学素子ホルダ２２を容易に取り出すことができる。
【００５５】
次に、光学ボックス６から取り出した光学素子ホルダ２２を、光学系冷却ダクト１３を筐体の内部から取り出した上面開口１９ｂを通して、該光学系冷却ダクト１３の取り出し方向と同じ方向（一点鎖線の矢印で示す方向：第２の方向）に取り出す。
【００５６】
このようにして光学素子ホルダ２２により保持された波長選択性位相板５１を筐体の上面開口１９ｂを通して外部に取り出すことで、波長選択性位相板５１を交換することができる。このとき、光学ボックス６のダクト接続口６ａは水平方向に向かって開口しており、上面開口１９ｂには面していない。言い換えれば、ダクト接続口６ａは、重力によって上面開口１９ｂを通って筐体の内部に侵入した塵埃がダクト接続口６ａを通って光学ボックス６内まで侵入しにくい向きに開口している。このため、波長選択性位相板５１の交換中に、筐体の外部の塵埃が光学ボックス６内の光学素子や反射型液晶パネル５８Ｒ，５８Ｇ，５８Ｂに付着しにくい構成が実現される。
【００５７】
さらに、図９に示すように、キャビネット蓋１９に形成された上面開口１９ｂは、光学系冷却ダクト１３の取り出しを可能とするために該光学系冷却ダクト１３の形状に合った形状を有している。そして、それ以外の部分であるカバー部１９ｃは、筐体内の少なくとも光学ボックス６（光学ボックス６とその他の光学系冷却ダクト１３以外の部品）の上面を覆っている。これにより、筐体の上面全体が開放される場合に比べて、塵埃が筐体の外部から内部に侵入し難くなる。したがって、光学ボックス６内の光学素子や反射型液晶パネル５８Ｒ，５８Ｇ，５８Ｂにさらに塵埃が付着しにくい構成を実現することができる。
【００５８】
次に、偏光変換素子４５の交換手順について、図６および図７を用いて説明する。図６には、偏光変換素子４５の交換前の該偏光変換素子４５の周辺部分の断面（図１中のＢ−Ｂ線で切断したときの断面）を示しており、図７には、偏光変換素子４５の交換時の同断面を示している。
【００５９】
図６において、前述したように光学系冷却ダクト１３は筐体キャビネット蓋１９のダクト保持部１９ａにて保持されている。また、偏光変換素子４５は、光学ボックス６に保持された不図示のバネ部材によってその上端部以外の部分が保持されている。偏光変換素子４５の上端部は、光学系冷却ダクト１３に設けられた押さえ部１３ａによって光学ボックス６に対して押さえられ、これにより偏光変換素子４５はがたつきなく光学ボックス６の内部（照明光学系αの内部）の所定位置に保持される。
【００６０】
偏光変換素子４５の交換も、波長選択性位相差板５１の交換時と同様に、図７に示すように筐体キャビネット蓋１９のダクト保持部１９ａにて保持された光学系冷却ダクト１３がそこから取り外され、実線矢印方向（上方向）に取り出されることで可能となる。光学系冷却ダクト１３が取り外されると、その押さえ部１３ａによる偏光変換素子４５の上端部の押さえが解除されるとともに、その上方に空間ができる。このため、偏光変換素子４５を光学ボックス６に対して破線矢印の方向に取り外すことができる。
【００６１】
このようにして、光学系冷却ダクト１３を取り外すことで、波長選択性位相差板５１だけでなく、偏光変換素子４５の交換も可能となるため、これらの交換を容易かつ短時間で行うことができる。
【００６２】
図８には、筐体の上面であるキャビネット蓋１９の上に外装保護カバー２４を不図示のネジや係合等の取り付け構造によって取り付けて、通常のプロジェクタの使用状態では光学系冷却ダクト１３を視認できないようにした状態を示している。波長選択性位相差板５１や偏光変換素子４５を交換する際には、外装保護カバー２４を取り外してキャビネット蓋１９および光学系冷却ダクト１３を露出させてから、光学系冷却ダクト１３を取り外せばよい。
【００６３】
なお、キャビネット蓋１９および光学系冷却ダクト１３の上面を外装に適した仕上げ面とすることで、外装保護カバー２４を不要とすることも可能である。
【００６４】
以上説明したように、本実施例では、光学系冷却ダクト１３をキャビネット蓋１９から取り外して上面開口１９ｂから筐体の外部に取り出すことによって筐体の内部に空間Ｓを形成する。これにより、光学系冷却ダクト１３により塞がれていた光学ボックス６のダクト接続口６ａが開放される。したがって、上面開口１９ｂ、空間Ｓおよびダクト接続口６ａを通して、波長選択性位相差板５１を光学ボックス６の内部の色分解合成光学系βに対して着脱（交換）することができる。
【００６５】
しかも、ダクト接続口６ａが上面開口１９ｂに直接面しておらず（互いに直交する方向に向かって開口していて）、光学系冷却ダクト１３を取り出すための上面開口１９ｂ以外の筐体上面はキャビネット蓋１９のカバー部１９ｃによって覆われている。このため、波長選択性位相差板５１の交換中に、筐体の外部の塵埃が上面開口１９ｂを通って筐体の内部に侵入し、さらにダクト接続口６ａを通って光学ボックス６内に入り込む可能性を低くすることができる。したがって、該交換中に、光学ボックス６内の光学素子や液晶パネルに塵埃が付着し難くすることができる。
【００６６】
さらに、本実施例では、光学系冷却ダクト１３を取り外すことで、偏光変換素子４５の交換も可能となるので、偏光変換素子４５の交換のための構造を波長選択性位相差板５１の交換のための構造と別に設ける必要がない。このため、筐体の内部の構成を簡単化することができるとともに、両素子を同時に交換する際の作業性を向上させることができる。
【００６７】
また、光学系冷却ダクト１３に偏光変換素子４５の通常状態での押さえ構造を設けたため、光学系冷却ダクト１３を取り外すだけで偏光変換素子４５の着脱が可能となる。
【００６８】
また、筐体の内部のうちキャビネット蓋１９と光学系冷却ダクト１３との間以外のスペースに駆動・制御基板ユニット２１を配置したので、交換作業時に作業者が誤って駆動・制御基板ユニット２１に触れてしまい、故障を生じさせることを防止できる。
【００６９】
なお、光学系冷却ダクト１３が筐体からその上面側に取り外される構成を採用したため、プロジェクタの上下を反転させて天井に吊り下げて設置した場合でも、交換作業を容易に行うことができる。
【００７０】
以上説明した各実施例は代表的な例にすぎず、本発明の実施に際しては、各実施例に対して種々の変形や変更が可能である。
【産業上の利用可能性】
【００７１】
筐体の内部の光学素子の交換が容易な液晶プロジェクタ等の画像投射装置を提供できる。
【符号の説明】
【００７２】
１  ランプ
５  投射レンズ鏡筒
６  光学ボックス
７  光学ボックス蓋
１３  光学系冷却ダクト
１８  外装キャビネット
１９  キャビネット蓋
１９ａ  ダクト保持部
１９ｂ  上面開口
１９ｃ  カバー部
５１  波長選択性位相差板
β  分解合成光学系
【図１】
0005743605.tif 000002
【図２】
0005743605.tif 000003
【図３】
0005743605.tif 000004
【図４】
0005743605.tif 000005
【図５】
0005743605.tif 000006
【図６】
0005743605.tif 000007
【図７】
0005743605.tif 000008
【図８】
0005743605.tif 000009
【図９】
0005743605.tif 000010